(57)【要約】【課題】所定の画像を動画または静止画として表示することができ、各種情報を伝える伝達媒体として利用することができるブラインドを提供する。【解決手段】ブラインド１０Ａは、それらスラット１１の他方の面（一面）に設置された複数のＬＥＤディスプレイ１７を有する。それらＬＥＤディスプレイ１７は、可撓性を有して一方の面が各スラット１１の一面に配置された所定面積の複数のフレキシブル基板２１と、それらフレキシブル基板２１の他方の面２４に設置されて所定パターンの画素を構成する複数のＬＥＤ素子２２とから形成されている。ブラインド１０Ａでは、それらＬＥＤディスプレイ１７のＬＥＤ素子２２を利用し、それらスラット１１の他方の面に所定の画像を動画または静止画として表示する。【選択図】図１
2018162617.tif 000002
【特許請求の範囲】
【請求項１】
縦方向または横方向へ並ぶ所定面積の複数のスラットを備え、前記縦方向または横方向へ展開させたそれらスラットを所定角度に回転させることで採光を調節するブラインドにおいて、
前記ブラインドが、それらスラットの一方の面と他方の面とのうちの少なくとも一面に設置された複数のＬＥＤディスプレイを有し、それらＬＥＤディスプレイが、可撓性を有して一方の面が各スラットの一面に配置された所定面積の複数のフレキシブル基板と、それらフレキシブル基板の他方の面に設置されて所定パターンの画素を構成する複数のＬＥＤ素子とから形成され、
前記ブラインドでは、それらＬＥＤディスプレイのＬＥＤ素子を利用し、それらスラットの一方の面と他方の面とのうちの少なくとも一面に所定の画像を動画または静止画として表示することを特徴とするブラインド。
【請求項２】
それらスラットが、前記一方の面から他方の面に向かって凸となるように弧を画き、前記ＬＥＤディスプレイのフレキシブル基板が、前記スラットの形状にあわせて弧を画きつつ該スラットの一面に取り付けられている請求項１に記載のブラインド。
【請求項３】
前記ブラインドでは、前記縦方向または横方向へ展開させたそれらスラットに設置したそれらＬＥＤディスプレイのみに動画または静止画が表示される請求項１または請求項２に記載のブラインド。
【請求項４】
前記ブラインドでは、前記縦方向または横方向へ展開させたそれらスラットを所定角度回転させてそれらスラットによってブラインドの正面における視界が５０％以上遮蔽された時点でそれらＬＥＤディスプレイに動画または静止画が表示される請求項３に記載のブラインド。
【請求項５】
前記ブラインドでは、前記縦方向または横方向へ展開した状態のそれらスラットが該縦方向または横方向へ畳まれた場合、畳まれたスラットにおける動画または静止画の表示が停止する請求項１ないし請求項５いずれかに記載のブラインド。
【請求項６】
縦方向へ展開させた状態から該縦方向へ畳むことが可能であり、前記縦方向へ畳んだ状態から該縦方向へ展開させることが可能な可撓性の幕部材を備えたシェードにおいて、
前記シェードが、前記幕部材の一方の面と他方の面とのうちの少なくとも一面に設置されたＬＥＤディスプレイを有し、それらＬＥＤディスプレイが、可撓性を有して一方の面が前記幕部材の一面に設置された所定面積のフレキシブル基板と、前記フレキシブル基板の他方の面に設置されて所定パターンの画素を構成する複数のＬＥＤ素子とから形成され、
前記シェードでは、それらＬＥＤディスプレイのＬＥＤ素子を利用し、前記幕部材の一方の面と他方の面とのうちの少なくとも一面に所定の画像を動画または静止画として表示することを特徴とするシェード。
【請求項７】
前記シェードでは、前記幕部材のうちの前記縦方向へ展開させた部分に設置したそれらＬＥＤディスプレイのみに動画または静止画が表示される請求項６に記載のシェード。
【請求項８】
前記シェードでは、前記縦方向へ畳んだ状態から前記幕部材を該縦方向へ５０％以上展開させた時点でそれらＬＥＤディスプレイに動画または静止画が表示される請求項７に記載のシェード。
【請求項９】
前記シェードでは、前記幕部材が前記縦方向へ蛇腹状に折り畳み可能であり、前記縦方向へ展開した状態の前記幕部材が該縦方向へ畳まれた場合、前記幕部材のうちの畳まれた部分における動画または静止画の表示が停止する請求項６ないし請求項８いずれかに記載のシェード。
【発明の詳細な説明】
【技術分野】
【０００１】
本発明は、複数のスラットを備えたブラインドに関するとともに、可撓性の幕部材を備えたシェードに関する。
【背景技術】
【０００２】
第１方向に配列されて可視光遮光性を有する複数のスラットを備え、それらスラットのうちの少なくとも一部のスラットの表面が平坦な鏡面からなる基準平面であると仮定した場合、その基準平面に入射された光の正反射の方向とは異なる方向に反射させる反射特性を有し、少なくとも一部のスラットの表面がその基準平面に入射された光の正反射の方向とは異なる方向に反射させるように粗面化されているブラインドが開示されている（特許文献１参照）。このブラインドは、スラットの傾斜角度を変更したとしても、十分な採光性を確保することができる。
【先行技術文献】
【特許文献】
【０００３】
【特許文献１】特開２０１５−７３３６号公報
【発明の概要】
【発明が解決しようとする課題】
【０００４】
ブラインドは、採光窓に設置され、縦方向へ展開させたそれらスラットを所定角度に回転させることで窓から室内に取り入れる光（採光）を調節する。現在、各種のブラインドが製造販売されているが、ブラインドにおいて所定の画像を表示することはなく、ブラインドを利用して各種複数の情報を伝えることはできず、ブラインドを各種情報を伝える伝達媒体として利用することができない。
【０００５】
本発明の目的は、所定の画像を動画または静止画として表示することができ、各種情報を伝える伝達媒体として利用することができるブラインドを提供することにある。本発明の他の目的は、所定の画像を動画または静止画として表示することができ、各種情報を伝える伝達媒体として利用することができるシェードを提供することにある。
【課題を解決するための手段】
【０００６】
前記課題を解決するための本発明の第１の前提は、縦方向または横方向へ並ぶ所定面積の複数のスラットを備え、縦方向または横方向へ展開させたそれらスラットを所定角度に回転させることで採光を調節するブラインドである。
【０００７】
前記第１の前提における本発明のブラインドの特徴は、ブラインドが、それらスラットの一方の面と他方の面とのうちの少なくとも一面に設置された複数のＬＥＤディスプレイを有し、それらＬＥＤディスプレイが、可撓性を有して一方の面が各スラットの一面に配置された所定面積の複数のフレキシブル基板と、それらフレキシブル基板の他方の面に設置されて所定パターンの画素を構成する複数のＬＥＤ素子とから形成され、ブラインドでは、それらＬＥＤディスプレイのＬＥＤ素子を利用し、それらスラットの一方の面と他方の面とのうちの少なくとも一面に所定の画像を動画または静止画として表示することにある。
【０００８】
本発明のブラインドの一例としては、それらスラットが、一方の面から他方の面に向かって凸となるように弧を画き、ＬＥＤディスプレイのフレキシブル基板が、スラットの形状にあわせて弧を画きつつスラットの一面に取り付けられている。
【０００９】
本発明のブラインドの他の一例として、ブラインドでは、縦方向または横方向へ展開させたそれらスラットに設置したそれらＬＥＤディスプレイのみに動画または静止画が表示される。
【００１０】
本発明のブラインドの他の一例として、ブラインドでは、縦方向または横方向へ展開させたそれらスラットを所定角度回転させてそれらスラットによってブラインドの正面における視界が５０％以上遮蔽された時点でそれらＬＥＤディスプレイに動画または静止画が表示される。
【００１１】
本発明のブラインドの他の一例として、ブラインドでは、縦方向または横方向へ展開した状態のそれらスラットが縦方向または横方向へ畳まれた場合、畳まれたスラットにおける動画または静止画の表示が停止する。
【００１２】
前記課題を解決するための本発明の第２の前提は、縦方向へ展開させた状態から該縦方向へ畳むことが可能であり、縦方向へ畳んだ状態から縦方向へ展開させることが可能な可撓性の幕部材を備えたシェードである。
【００１３】
前記第２の前提における本発明のシェードの特徴は、シェードが、幕部材の一方の面と他方の面とのうちの少なくとも一面に設置されたＬＥＤディスプレイを有し、それらＬＥＤディスプレイが、可撓性を有して一方の面が幕部材の一面に設置された所定面積のフレキシブル基板と、フレキシブル基板の他方の面に設置されて所定パターンの画素を構成する複数のＬＥＤ素子とから形成され、シェードでは、それらＬＥＤディスプレイのＬＥＤ素子を利用し、幕部材の一方の面と他方の面とのうちの少なくとも一面に所定の画像を動画または静止画として表示することにある。
【００１４】
本発明のシェードの一例として、シェードでは、幕部材のうちの縦方向へ展開させた部分に設置したそれらＬＥＤディスプレイのみに動画または静止画が表示される。
【００１５】
本発明のシェードの他の一例として、シェードでは、縦方向へ畳んだ状態から幕部材を縦方向へ５０％以上展開させた時点でそれらＬＥＤディスプレイに動画または静止画が表示される。
【００１６】
本発明のシェードの他の一例として、シェードでは、幕部材が縦方向へ蛇腹状に折り畳み可能であり、縦方向へ展開した状態の幕部材が縦方向へ畳まれた場合、幕部材のうちの畳まれた部分における動画または静止画の表示が停止する。
【発明の効果】
【００１７】
本発明に係るブラインドによれば、それらスラットの一方の面と他方の面とのうちの少なくとも一面に設置された複数のＬＥＤディスプレイを有し、それらＬＥＤディスプレイのＬＥＤ素子を利用してそれらスラットの一方の面と他方の面とのうちの少なくとも一面に所定の画像を動画または静止画として表示するから、ブラインドを任意の場所に設置した状態で所定の画像を動画または静止画としてその片面または両面に表示することができ、任意の場所に設置したブラインドを利用して所定の動画または静止画を見せることができる。ブラインドは、所定の画像を動画または静止画としてそれらスラットの一方の面と他方の面とのうちの少なくとも一面に表示することで、ブラインドを利用して各種情報を伝えることができ、ブラインドを各種情報の伝達媒体として利用することができる。ブラインドは、それらスラットの一方の面と他方の面とのうちの少なくとも一面に各種の異なる動画または静止画を表示することで、その動画または静止画によってブラインドを装飾することができ、ブラインドを設置した箇所を飾る装飾品やイルミネーションとして利用することができる。
【００１８】
それらスラットが一方の面から他方の面に向かって凸となるように弧を画き、ＬＥＤディスプレイのフレキシブル基板がスラットの形状にあわせて弧を画きつつスラットの一面に取り付けられているブラインドは、スラットの強度を高くする必要から、それらスラットが一方の面から他方の面に向かって凸となるように弧を画く場合があるが、可撓性を有するフレキシブル基板がスラットの形状にあわせて弧を画くことができ、弧を画いた状態のフレキシブル基板をスラットの一面に取り付けることができるから、それらスラットが一方の面から他方の面に向かって凸となるように弧を画いていたとしても、それらスラットにおいて所定の動画または静止画を確実に表示することができ、ブラインドを利用して所定の動画または静止画を見せることができる。
【００１９】
縦方向または横方向へ展開させたそれらスラットに設置したそれらＬＥＤディスプレイのみに動画または静止画が表示されるブラインドは、縦方向または横方向へ畳まれたスラットにおいてＬＥＤディスプレイに表示された動画または静止画を視認することはできないから、縦方向または横方向へ展開させたそれらスラットに設置したそれらＬＥＤディスプレイのみに動画または静止画を表示することで、動画や静止画の表示無駄を省くことができ、ＬＥＤディスプレイにおいて消費される電力の省エネを図ることができるとともに、展開中のスラットにおいて動画または静止画を表示することで、展開中のスラットにおいて動画または静止画を見せることができる。
【００２０】
縦方向または横方向へ展開させたそれらスラットを所定角度回転させてそれらスラットによってブラインドの正面における視界が５０％以上遮蔽された時点でそれらＬＥＤディスプレイに動画または静止画が表示されるブラインドは、それらスラットがブラインドの正面に対して直交した状態においてＬＥＤディスプレイに表示された動画または静止画を視認することはできないから、縦方向または横方向へ展開させたそれらスラットが所定角度回転し、それらスラットによってブラインドの正面における視界が５０％以上遮蔽された時点でそれらＬＥＤディスプレイに動画または静止画を表示することで、動画または静止画をそれらスラットにおいて確実に視認可能にしつつ動画または静止画を片面または両面に表示することができ、視界を５０％以上遮蔽したスラットのみにおいて動画または静止画を見せることができる。ブラインドは、視界を５０％未満遮蔽したスラットにおいて動画または静止画を表示することがないから、動画や静止画の表示無駄を省くことができるとともに、ＬＥＤディスプレイにおいて消費される電力の省エネを図ることができる。
【００２１】
縦方向または横方向へ展開した状態のそれらスラットが縦方向または横方向へ畳まれた場合、畳まれたスラットにおける動画または静止画の表示が停止するブラインドは、縦方向または横方向へ畳まれたスラットにおいてＬＥＤディスプレイに表示された動画または静止画を視認することはできないから、スラットが縦方向または横方向へ展開した状態から縦方向または横方向へ畳まれた場合、畳まれたスラットにおける動画または静止画の表示が停止することで、動画や静止画の表示無駄を省くことができ、ＬＥＤディスプレイにおいて消費される電力の省エネを図ることができるとともに、展開中のスラットにおいて動画または静止画を表示することで、展開中のスラットにおいて動画または静止画を見せることができる。
【００２２】
本発明に係るシェードによれば、幕部材の一方の面と他方の面とのうちの少なくとも一面に設置されたＬＥＤディスプレイを有し、ＬＥＤディスプレイのＬＥＤ素子を利用して幕部材の一方の面と他方の面とのうちの少なくとも一面に所定の画像を動画または静止画として表示するから、シェードを任意の場所に設置した状態で所定の画像を動画または静止画としてその片面または両面に表示することができ、任意の場所に設置したシェードを利用して所定の動画または静止画を見せることができる。シェードは、所定の画像を動画または静止画として幕部材の一方の面と他方の面とのうちの少なくとも一面に表示することで、シェードを利用して各種情報を伝えることができ、シェードを各種情報の伝達媒体として利用することができる。シェードは、幕部材の一方の面と他方の面とのうちの少なくとも一面に各種の異なる動画または静止画を表示することで、その動画または静止画によってシェードを装飾することができ、シェードを設置した箇所を飾る装飾品やイルミネーションとして利用することができる。
【００２３】
幕部材のうちの縦方向へ展開させた部分に設置したそれらＬＥＤディスプレイのみに動画または静止画が表示されるシェードは、縦方向へ畳まれた幕部材においてＬＥＤディスプレイに表示された動画または静止画を視認することはできないから、幕部材のうちの縦方向へ展開させた部分に設置したそれらＬＥＤディスプレイのみに動画または静止画を表示することで、動画や静止画の表示無駄を省くことができ、ＬＥＤディスプレイにおいて消費される電力の省エネを図ることができるとともに、展開中の幕部材において動画または静止画を表示することで、展開中の幕部材において動画または静止画を見せることができる。
【００２４】
縦方向へ畳んだ状態から幕部材を縦方向へ５０％以上展開させた時点でそれらＬＥＤディスプレイに動画または静止画が表示されるシェードは、縦方向へ畳んだ状態の幕部材が縦方向へ５０％以上展開した時点でＬＥＤディスプレイに動画または静止画を表示することで、動画または静止画を幕部材において確実に視認可能にすることができ、視界を５０％以上遮蔽した幕部材において動画または静止画を確実に見せることができる。ブラインドは、視界を５０％未満遮蔽した幕部材において動画または静止画を表示することがないから、動画や静止画の表示無駄を省くことができるとともに、ＬＥＤディスプレイにおいて消費される電力の省エネを図ることができる。
【００２５】
幕部材が縦方向へ蛇腹状に折り畳み可能であり、縦方向へ展開した状態の幕部材が縦方向へ畳まれた場合、幕部材のうちの畳まれた部分における動画または静止画の表示が停止するシェードは、縦方向へ畳まれた幕部材においてＬＥＤディスプレイに表示された動画または静止画を視認することはできないから、幕部材が縦方向へ展開した状態から縦方向へ畳まれた場合、畳まれた幕部材における動画または静止画の表示が停止することで、動画や静止画の表示無駄を省くことができ、ＬＥＤディスプレイにおいて消費される電力の省エネを図ることができるとともに、展開中の幕部材において動画または静止画を表示することで、展開中の幕部材のみにおいて動画または静止画を見せることができる。
【図面の簡単な説明】
【００２６】
【図１】スラットを縦方向へ展開させた状態の一例として示すブラインドの斜視図。
【図２】図１のブラインドの一例として示すスラットの拡大斜視図。
【図３】図２のＩ−Ｉ線端面図。
【図４】展開させた状態の他の一例として示すブラインドの斜視図。
【図５】展開させた状態の他の一例として示すブラインドの斜視図。
【図６】下半分を畳んだ状態の一例として示すブラインドの斜視図。
【図７】下半分を畳んだ状態の他の一例として示すブラインドの斜視図。
【図８】スラットを横方向へ展開させた状態の一例として示すブラインドの斜視図。
【図９】図８のブラインドの一例として示すスラットの拡大斜視図。
【図１０】図８のＩＩ−ＩＩ線端面図。
【図１１】展開させた状態の他の一例として示すブラインドの斜視図。
【図１２】展開させた状態の他の一例として示すブラインドの斜視図。
【図１３】幕部材を縦方向へ展開させた状態の一例として示すシェードの斜視図。
【図１４】図１３のＩＩＩ−ＩＩＩ線端面図。
【図１５】幕部材の下半分を畳んだ状態の一例として示すシェードの斜視図。
【発明を実施するための形態】
【００２７】
スラットを縦方向へ展開させた状態の一例として示すブラインド１０Ａの斜視図である図１等の添付の図面を参照し、本発明に係るブラインドの詳細を説明すると、以下のとおりである。なお、図２は、ブラインド１０Ａの一例として示すスラットの拡大斜視図であり、図３は、図２のＩ−Ｉ線端面図である。図１は、それらスラット１１をブラインド１０Ａの正面に対して直交させた状態（水平状態）で示す。図１では、縦方向を矢印Ａで示し、横方向を矢印Ｂで示す。
【００２８】
図１に示すブラインド１０Ａは、縦方向へ並ぶ複数のスラット１１と、最上に位置するスラット１１の直上に位置するヘッドボックス１２（ヘッドレールを含む）と、最下に位置するスラット１１の直下に位置するボトムレール１３と、それらスラット１１を回転させるラダーコード１４と、それらスラット１１（ボトムレール１３を含む）を昇降させる昇降コード１５と、それらスラット１１の回転操作およびそれらスラット１１（ボトムレール１３を含む）の昇降操作を行うマルチ操作棒１６とを備えている。ブラインド１０Ａは、それらスラット１１に取り付けられた複数の高輝度ＬＥＤディスプレイ１７（自発光型ディスプレイ）を有する。
【００２９】
ブラインド１０Ａは、室内または室外の所定の箇所（たとえば、窓枠や間仕切り箇所）に設置され、縦方向（上方）へ畳まれた状態（図示せず）のスラット１１を縦方向（下方）へ展開し、縦方向へ展開させたそれらスラット１１をマルチ操作棒１６によって所定角度に回転させることで採光を調節する。マルチ操作棒１６の内部に挿入された昇降コード１８を下方に引っ張ることで、それらスラット１１を上方へ移動させ、ブラインド１０Ａ（それらスラット１１）を縦方向へ畳むことができる。マルチ操作棒１６の内部に挿入された昇降コード１８を上方へ移動させることで、それらスラット１１を下方へ移動させ、ブラインド１０Ａ（それらスラット１１）を縦方向へ展開させることができる。
【００３０】
マルチ操作棒１６を時計回り方向または反時計回り方向へ回転させることでそれらスラット１１を回転させることができる。それらスラット１１は、ブラインド１０Ａの正面に対して直交させるように回転させることができ、ブラインド１０Ａの正面に対して平行させるように回転させることができるとともに、ブラインド１０Ａの正面に対して所定角度で傾斜するように回転させることができる。なお、図示のブラインド１０Ａは、マルチ操作棒１６において回転操作および昇降操作を行うマルチポール式であるが、昇降操作をコードで行い、回転操作を操作棒で行う操作棒式であってもよい。また、それらスラット１１がモーターによって昇降する電動ブラインドであってもよい。
【００３１】
それらスラット１１は、所定面積を有して横方向へ長い板状に成形され、一方の面１９と他方の面２０とを有する。スラット１１は、金属板または合成樹脂板から作られている。スラットは、その強度を高くする必要から、図２に示すように、一方の面１９から他方の面２０に向かって凸となるように弧（円弧）を画いている。なお、スラット１１の横方向の長さ寸法や面積、枚数について特に限定はなく、横方向の長さ寸法や面積、枚数を自由に設定することができる。また、スラット１１が、縦横方向へ直状に延びていてもよい。
【００３２】
それら高輝度ＬＥＤディスプレイ１７は、所定面積のフレキシブル基板２１と、フレキシブル基板２１に設置（マウント）された複数のＬＥＤ素子２２（ＬＥＤチップ）と、電子制御モジュール（図示せず）とから形成されている。フレキシブル基板２１は、熱可塑性合成樹脂から作られた可撓性を有する所定面積の透明なシート（プラスチックシート）であり、スラット１１と略同形同大に成形されている。フレキシブル基板２１は、その厚み寸法が０．２〜１ｍｍの範囲にある。フレキシブル基板２１は、所定の曲率半径で円弧状に湾曲させることができるとともに、所定の角度で曲折する（折り曲げる）ことができる。
【００３３】
フレキシブル基板２１は、スラット１１の湾曲形状にあわせて弧（円弧）を画いた状態で、その一方の面２３が所定の接合手段（接着剤や接着テープ、連結金具等）によってそれらスラット１１の他方の面２０（一面）に固定（接合）されている。フレキシブル基板２１がそれらスラット１１の一面（他方の面２０）に接合されることで、ＬＥＤディスプレイ１７がブラインド１０Ａの一面に固定されている。スラット１１の強度を高くする必要から、それらスラット１１が一方の面１９から他方の面２０に向かって凸となるように弧を画く場合があるが、可撓性を有するフレキシブル基板２１がスラット１１の形状にあわせて弧を画くことができ、弧を画いた状態のフレキシブル基板２１をスラット１１の一面に取り付けることができる。
【００３４】
なお、スラット１１が縦横方向へ直状に延びている場合、フレキシブル基板２１が縦横方向へ直状に延びた状態でスラット１１の他方の面２０（一面）に固定（接合）される。また、それらフレキシブル基板２１がそれらスラット１１の一方の面１９（一面）に固定（接合）されていてもよく、それらフレキシブル基板２１がそれらスラット１１の一方の面１９（一面）と他方の面２０（一面）とに固定（接合）されていてもよい。
【００３５】
それらＬＥＤ素子２２は、フレキシブル基板２１の他方の面２４において縦方向へ等間隔離間して整然と並んでいるとともに、横方向へ等間隔離間して整然と並んでいる。それらＬＥＤ素子２２は、縦横方向へ並んだ状態でフレキシブル基板２１の他方の面２４に設置・固定されている。それらＬＥＤ素子２２は、それらフレキシブル基板２１の他方の面２４（スラット１１の他方の面２０）に所定パターンの画素を構成している。各スラット１１に位置するそれらＬＥＤ素子２２は、それらが電気的に接続されている。縦方向へ隣接するスラット１１に位置するＬＥＤ素子２２は、それらが電気的に接続されている。最上のスラット１１に位置するＬＥＤ素子２２は、電子制御モジュールに電気的に接続されている。フレキシブル基板２１の単位面積に対するＬＥＤ素子２２の密度に特に制限はなく、フレキシブル基板２１の可撓性が失われない程度に基板２１の単位面積に対するＬＥＤ素子２２の密度を自由に設定することができる。
【００３６】
フレキシブル基板２１の他方の面２４には、フレキシブル基板２１と略同形同大の透明な紫外線遮蔽保護フィルム２５が取り付けられている。紫外線遮蔽保護フィルム２５は、熱可塑性合成樹脂から作られた可撓性を有する透明なフィルム（プラスチックフィルム）であり、所定の接合手段（接着剤や粘着テープ）（図示せず）によってフレキシブル基板２１の他方の面２４に貼着されている。紫外線遮蔽保護フィルム２５は、フレキシブル基板２１の他方の面２４に配置されたそれらＬＥＤ素子２２を包被している。紫外線遮蔽保護フィルム２５は、紫外線を遮蔽し、紫外線のそれらＬＥＤ素子２２への到達を阻止するとともに、それらＬＥＤ素子２２と外物との接触を防ぎ、それらＬＥＤ素子２２を損傷から保護する。
【００３７】
電子制御モジュールは、ブラインド１０Ａのヘッドボックス１２の内部に収容されている。電子制御モジュールは、コントローラ（図示せず）に接続され、それらＬＥＤ素子２２を各スラット１１毎に制御する。電子制御モジュールは、各スラット１１毎のそれらＬＥＤ素子２２の発光色を調整しつつ発光色を時系列に変化させ、各スラット１１毎のそれらＬＥＤ素子２２の輝度を調整しつつ輝度を時系列に変化させる。それらＬＥＤディスプレイ１７では、光の３原色（Ｒ・Ｇ・Ｂ）に発光するそれらＬＥＤ素子２２がフレキシブル基板２１にマウントされることで、ＬＥＤ素子２２に各種複数の色彩（可視光）を表示（発光）させることができ、フルカラー動画（白黒を含む）またはフルカラー静止画（白黒を含む）を連続的または間欠的に表示することができる。
【００３８】
ブラインド１０Ａのヘッドボックス１２には、ＬＥＤディスプレイ１７の画像ＯＮ／ＯＦＦスイッチ（図示せず）が取り付けられている。ブラインド１０Ａのヘッドボックス１２の内部には、回転角センサ（図示せず）と展開検知センサ（図示せず）とが収容されている。回転角センサは、コントローラに接続されている。回転角センサは、マルチ操作棒１６の回転角（またはスラットの回転角）を測定し、測定した回転角信号をコントローラに送信（転送）する。展開検知センサは、コントローラに接続されている。展開検知センサは、スラット１１の縦方向（下方）への展開を検知し、検知したスラット１１の展開信号をコントローラに送信（転送）する。
【００３９】
コントローラは、ブラインド１０Ａのヘッドボックス１２の内部に設置されているが、ブラインド１０Ａの外部に設置される場合もある。コントローラは、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶デバイス（大容量ハードディスク等）を内蔵している。コントローラには、タッチパネル等の入力装置が接続されている。コントローラは、所定の電源に接続され、電子制御モジュールやＬＥＤディスプレイ１７、回転角センサ、展開検知センサに電力を供給する。
【００４０】
コントローラは、テレビ受像器やビデオモニター、チューナー、ビデオカメラ、ビデオレコーダー、光学メディア等の各種複数の映像機器から送信された（取り込んだ）各種複数の映像や音声を改変し、ＬＥＤディスプレイ１７に表示する画像（動画または静止画）（音声を含む）を作成するとともに、作成した画像をＬＥＤディスプレイ１７の電子制御モジュールに送信する。コントローラの記憶デバイスには、作成した各種複数の画像が格納（記憶）されているとともに、画像を表示可能と認識（判断）するスラット１１の画像表示回転角度（第２回転角度）が格納されている。タッチパネルによってＬＥＤディスプレイ１７に表示する画像を選択することができるとともに、スラット１１の画像表示回転角度（第２回転角度）を０〜９０°の範囲で設定することができる。
【００４１】
コントローラに格納された画像（コントローラによって作成された画像（フルカラーの動画またはフルカラーの静止画））がコントローラから電子制御モジュールに送信され、電子制御モジュールがそれらＬＥＤ素子２２の発光色を調整しつつそれらＬＥＤ素子２２の輝度を調整することで、所定の画像（フルカラーの動画またはフルカラーの静止画）（音声は、スピーカーから出力される）が各スラット１１のＬＥＤディスプレイ１７に表示される。
【００４２】
図４は、展開させた状態の他の一例として示すブラインド１０Ａの斜視図であり、図５は、展開させた状態の他の一例として示すブラインド１０Ａの斜視図である。図４は、それらスラット１１をブラインド１０Ａの正面に対して所定角度で回転させた状態で示す。図５は、それらスラット１１をブラインド１０Ａの正面に対して平行に回転させた状態（垂直状態）で示す。なお、スラット１１の画像表示回転角度（第２回転角度）を４５°に設定されているものとする。
【００４３】
ブラインド１０Ａの各スラット１１に所定の画像を表示するには、ヘッドボックス１２の画像ＯＮ／ＯＦＦスイッチをＯＮにし、タッチパネルによって表示する画像を選択する。次に、ブラインド１０Ａのスラット１１が畳まれた状態から、マルチ操作棒１６の昇降コード１８を上方へ移動させてそれらスラット１１を下方へ移動させ、ブラインド１０Ａ（それらスラット１１）を縦方向（下方）へ展開する。なお、ブラインド１０Ａのスラット１１が上方へ畳まれた状態では非展開信号が展開検知センサからコントローラに送信され、コントローラはスラット１１が非展開（畳まれた状態）であると認識（判断）し、画像ＯＮ／ＯＦＦスイッチをＯＮにしたとしても、コントローラが電子制御モジュールに画像非表示信号を送信し、ＬＥＤディスプレイ１７に画像が表示されない。
【００４４】
ブラインド１０Ａ（それらスラット１１）を縦方向（下方）へ展開すると、展開されたスラット１１に対する展開信号が展開検知センサからコントローラに送信される。それらスラット１１を縦方向へ展開し、図１の状態になった場合、展開検知センサからすべてのスラット１１に対する展開信号がコントローラに送信されるとともに、それらスラット１１がブラインド１０Ａの正面に対して直交（水平状態）しており、それらスラット１１によるブラインド１０Ａの正面の視界遮蔽が５０％未満であり、回転角センサから第１回転角信号（０°）がコントローラに送信される。第１回転角信号を受信したコントローラはそれらスラット１１が非回転（回転不十分）であると認識（判断）し、画像ＯＮ／ＯＦＦスイッチがＯＮであったとしても、コントローラが電子制御モジュールに画像非表示信号（第１回転角信号）を送信し、ＬＥＤディスプレイ１７に画像が表示されない。
【００４５】
図１の状態から、マルチ操作棒１６を回転させてそれらスラット１１を回転させ、スラット１１によって視界を遮蔽するようにそれらスラット１１を回転させると、回転角センサがマルチ操作棒１６の回転角（またはスラット１１の回転角）を測定し、測定した回転角信号（第１回転角信号または第２回転角信号）をコントローラに送信する。回転角が０〜４５°（第２回転角度）未満（スラット１１の回転角（傾斜角）がブラインド１０Ａの正面に対して０（水平状態）〜４５°未満）では、それらスラット１１によるブラインド１０Ａの正面の視界遮蔽が５０％未満であり、回転角センサから第１回転角信号がコントローラに送信され、コントローラはそれらスラット１１が非回転（回転不十分）であると認識（判断）し、電子制御モジュールに画像非表示信号（第１回転角信号）を送信し、ＬＥＤディスプレイ１７に画像が表示されない。なお、スラット１１の画像表示回転角度（第２回転角度）が３０°に設定されている場合、回転角が０〜３０°（第２回転角度）未満では、ＬＥＤディスプレイ１７に画像は表示されない。
【００４６】
マルチ操作棒１６をさらに回転させてそれらスラット１１をさらに回転させ、図４の状態となり、それらスラット１１によってブラインド１０Ａの正面における視界が５０％以上遮蔽され、回転角が４５°（第２回転角度）以上（スラット１１の回転角（傾斜角）がブラインド１０Ａの正面に対して４５°以上）になった場合、回転角センサが第２回転角信号をコントローラに送信する。第２回転角信号を受信したコントローラは、それらスラット１１が回転済み（回転十分）であると認識（判断）し、電子制御モジュールに所定の画像（選択された画像）および画像表示信号（第２回転角信号）を送信する。画像および画像表示信号を受信した電子制御モジュールは、それらＬＥＤ素子２２の発光色を調整しつつそれらＬＥＤ素子２２の輝度を調整し、コントローラから送信された所定の画像（フルカラーの動画またはフルカラーの静止画）を各スラット１１のＬＥＤディスプレイ１７を利用して表示する。なお、スラット１１の画像表示回転角度（第２回転角度）が３０°に設定されている場合、回転角が３０°（第２回転角度）以上になると、ＬＥＤディスプレイ１７に画像が表示される。
【００４７】
図４の状態から図５の状態にスラット１１を回転させ、スラット１１がブラインド１０Ａの正面に対して平行に回転（９０°回転）した場合、それらスラット１１によってブラインド１０Ａの正面における視界が５０％以上（１００％）遮蔽され、第２回転角信号（画像表示信号）が回転角センサからコントローラに送信されるとともに、画像表示継続信号（第２回転角信号）がコントローラから電子制御モジュールに送信され、ＬＥＤディスプレイ１７に対する画像の表示が継続される。
【００４８】
図５の状態から図４の状態にスラット１１を回転させ、さらにスラット１１によって視界を開放するようにそれらスラット１１を回転させ、それらスラット１１によるブラインド１０Ａの正面の視界遮蔽が５０％未満になり、回転角が４５°（第２回転角度）未満（スラット１１の回転角（傾斜角）がブラインド１０Ａの正面に対して４５°未満）になると、回転角センサが第１回転角信号をコントローラに送信する。第１回転角信号を受信したコントローラは電子制御モジュールに画像非表示信号（第１回転角信号）を送信し、電子制御モジュールがＬＥＤディスプレイ１７に表示されている画像を非表示にする。
【００４９】
図６は、下半分を畳んだ状態の一例として示すブラインド１０Ａの斜視図であり、図７は、下半分を畳んだ状態の他の一例として示すブラインド１０Ａの斜視図である。図６では、展開中のスラット１１をブラインド１０Ａの正面に対して平行に回転させた状態（垂直状態）で示す。図７は、展開中のスラット１１をブラインド１０Ａの正面に対して直交させた状態（水平状態）で示す。
【００５０】
図５の状態からマルチ操作棒１６の昇降コード１８を下方に引っ張ることで、下方に位置するスラット１１を上方へ移動させ、それらスラット１１の一部を縦方向へ畳むと、畳まれたスラット１１に対する非展開信号が展開検知センサからコントローラに送信されるとともに、展開中のスラット１１に対する展開信号が展開検知センサからコントローラに送信される。コントローラは、畳まれたスラット１１に対する画像非表示信号を電子制御モジュールに送信し、電子制御モジュールが畳まれたスラット１１のＬＥＤディスプレイ１７に表示されている画像を非表示にする。なお、展開中のスラット１１に対する画像表示信号は継続し、展開中のスラット１１のＬＥＤディスプレイ１７に対する画像の表示が継続される。
【００５１】
マルチ操作棒１６を回転させて図６の状態からスラット１１を回転させて図７の状態になり、展開中のスラット１１によるブラインド１０Ａの正面の視界遮蔽が５０％未満になり、回転角が４５°（第２回転角度）未満（スラット１１の回転角（傾斜角）がブラインド１０Ａの正面に対して４５°未満）になると、回転角センサが第１回転角信号をコントローラに送信する。第１回転角信号を受信したコントローラは電子制御モジュールに画像非表示信号（第１回転角信号）を送信し、電子制御モジュールが展開中のスラット１１のＬＥＤディスプレイ１７に表示されている画像を非表示にする。
【００５２】
図８は、スラット２６を横方向へ展開させた状態の一例として示すブラインド１０Ｂの斜視図であり、図９は、ブラインド１０Ｂの一例として示すスラット２６の拡大斜視図である。図１０は、図９のＩＩ−ＩＩ線端面図である。図８は、それらスラット２６をブラインド１０Ｂの正面に対して直交させた状態（水平状態）で示す。図８では、縦方向を矢印Ａで示し、横方向を矢印Ｂで示す。
【００５３】
図８に示すブラインド１０Ｂは、横方向へ並ぶ複数のスラット２６（ルーバー）と、それらスラット２６の直上に位置するヘッドボックス２７（ヘッドレールを含む）と、それらスラット１１の上端部に取り付けられたランナーフック２８およびハンガー２９と、それらスラット２６の下端部に取り付けられたバランスウエイト３０と、それらスラット２６の下端部に位置するボトムコード３１と、それらスラット２６の回転操作を行う操作バトン３２と、それらスラット２６の開閉操作を行うドライブコード３３とを備えている。ブラインド１０Ｂは、それらスラット２６に取り付けられた複数の高輝度ＬＥＤディスプレイ１７（自発光型ディスプレイ）を有する。
【００５４】
ブラインド１０Ｂは、室内または室外の所定の箇所（たとえば、窓枠や間仕切り箇所）に設置され、横方向（横方向内方）へ畳まれた状態（図示せず）のスラット２６を横方向（横方向外方）へ展開し、横方向へ展開させたそれらスラット２６を操作バトン３２によって所定角度に回転させることで採光を調節する。ドライブコード３３を一方向へ移動させることで、それらスラット２６を横方向内方へ移動させ、ブラインド１０Ｂ（それらスラット２６）を横方向へ畳むことができる。ドライブコード３３を他方向へ移動させることで、それらスラット２６を横方向外方へ移動させ、ブラインド１０Ｂ（それらスラット２６）を横方向へ展開させることができる。
【００５５】
操作バトン３２を時計回り方向または反時計回り方向へ回転させることでそれらスラット２６を回転させることができる。それらスラット２６は、ブラインド１０Ｂの正面に対して直交させるように回転させることができ、ブラインド１０Ｂの正面に対して平行させるように回転させることができるとともに、ブラインド１０Ｂの正面に対して所定角度で傾斜するように回転させることができる。なお、それらスラット２６がモーターによって昇降する電動ブラインドであってもよい。
【００５６】
それらスラット２６は、所定面積を有して縦方向へ長いフラットな板状に成形され、一方の面３４と他方の面３５とを有する。スラット２６は、金属板または合成樹脂板から作られている。なお、スラット２６の縦方向の長さ寸法や面積、枚数について特に限定はなく、縦方向の長さ寸法や面積、枚数を自由に設定することができる。
【００５７】
それら高輝度ＬＥＤディスプレイ１７は、所定面積のフレキシブル基板２１と、フレキシブル基板２１に設置（マウント）された複数のＬＥＤ素子２２（ＬＥＤチップ）と、コントローラ（図示せず）に接続された電子制御モジュール（図示せず）とから形成されている。フレキシブル基板２１の他方の面２４には、フレキシブル基板２１と略同形同大の透明な紫外線遮蔽保護フィルム２５が取り付けられている。フレキシブル基板２１やＬＥＤ素子２２、電子制御モジュール、紫外線遮蔽保護フィルム２５は、ブラインド１０Ａのそれらと同一である。
【００５８】
フレキシブル基板２１は、その一方の面２３が所定の接合手段（接着剤や接着テープ、連結金具等）によってそれらスラット２６の他方の面３５（一面）に固定（接合）されている。フレキシブル基板２１がそれらスラット２６の一面に接合されることで、ＬＥＤディスプレイ１７がブラインド１０Ｂの一面に固定されている。なお、フレキシブル基板２１がそれらスラット２６の一方の面３４（一面）に固定（接合）されていてもよく、フレキシブル基板２１がそれらスラット２６の一方の面３４（一面）と他方の面３５（一面）とに固定（接合）されていてもよい。
【００５９】
ブラインド１０Ｂのヘッドボックス２７には、ＬＥＤディスプレイ１７の画像ＯＮ／ＯＦＦスイッチ（図示せず）が取り付けられている。ブラインド１０Ｂのヘッドボックス２７の内部には、回転角センサ（図示せず）と展開検知センサ（図示せず）とが収容されている。回転角センサは、操作バトン３２の回転角（またはスラット２６の回転角）を測定し、測定した回転角信号をコントローラに送信（転送）する。展開検知センサは、スラット２６の横方向（横方向外方）への展開を検知し、検知したスラット２６の展開信号をコントローラに送信（転送）する。
【００６０】
コントローラは、ブラインド１０Ａのそれと同一であり、ブラインド１０Ｂのヘッドボックス２７の内部に設置されているが、ブラインド１０Ｂの外部に設置される場合もある。コントローラの記憶デバイスには、作成した各種複数の画像が格納（記憶）されているとともに、画像を表示可能と認識（判断）するスラット２６の画像表示回転角度（第２回転角度）が格納されている。コントローラでは、タッチパネルによってＬＥＤディスプレイ１７に表示する画像を選択することができるとともに、スラット２６の画像表示回転角度（第２回転角度）を０〜９０°の範囲で設定することができる。
【００６１】
コントローラの記憶デバイスに格納された画像（コントローラによって作成された画像（フルカラーの動画またはフルカラーの静止画））がコントローラから電子制御モジュールに送信され、電子制御モジュールがそれらＬＥＤ素子２２の発光色を調整しつつそれらＬＥＤ素子２２の輝度を調整することで、所定の画像（フルカラーの動画またはフルカラーの静止画）（音声は、スピーカーから出力される）が各スラット２６のＬＥＤディスプレイ１７に表示される。
【００６２】
図１１は、展開させた状態の他の一例として示すブラインド１０Ｂの斜視図であり、図１２は、展開させた状態の他の一例として示すブラインド１０Ｂの斜視図である。図１１は、それらスラット２６をブラインド１０Ｂの正面に対して所定角度で回転させた状態で示す。図１２は、それらスラットをブラインド１０Ｂの正面に対して平行に回転させた状態（垂直状態）で示す。なお、スラットの画像表示回転角度（第２回転角度）を４５°に設定されているものとする。
【００６３】
ブラインド１０Ｂの各スラット２６に所定の画像を表示するには、ヘッドボックス２７の画像ＯＮ／ＯＦＦスイッチをＯＮにし、タッチパネルによって表示する画像を選択する。次に、ブラインド１０Ｂのスラット２６が畳まれた状態から、ドライブコード３３を他方向へ移動させてそれらスラット２６を横方向外方へ移動させ、ブラインド１０Ｂ（それらスラット２６）を横方向（横方向外方）へ展開する。ブラインド１０Ｂのスラット２６が畳まれた状態では非展開信号が展開検知センサからコントローラに送信され、コントローラはスラット２６が非展開（畳まれた状態）であると認識（判断）し、画像ＯＮ／ＯＦＦスイッチをＯＮにしたとしても、コントローラが電子制御モジュールに画像非表示信号を送信し、ＬＥＤディスプレイ１７に画像が表示されない。
【００６４】
ブラインド１０Ｂ（それらスラット２６）を横方向（横方向内方）へ展開すると、展開されたスラット２６に対する展開信号が展開検知センサからコントローラに送信される。それらスラット２６を横方向へ展開し、図８の状態になった場合、展開検知センサからすべてのスラット２６に対する展開信号がコントローラに送信されるとともに、それらスラット２６がブラインド１０Ｂの正面に対して直交（水平状態）（０°）しており、それらスラット２６によるブラインド１０Ｂの正面の視界遮蔽が５０％未満であり、回転角センサから第１回転角信号がコントローラに送信される。第１回転角信号を受信したコントローラはそれらスラット２６が非回転（回転不十分）であると認識（判断）し、画像ＯＮ／ＯＦＦスイッチがＯＮであったとしても、コントローラが電子制御モジュールに画像非表示信号（第１回転角信号）を送信し、ＬＥＤディスプレイ１７に画像が表示されない。
【００６５】
図８の状態から、操作バトン３２を回転させてそれらスラット２６を回転させ、スラット２６によって視界を遮蔽するようにそれらスラット２６を回転させると、回転角センサが操作バトン３２の回転角（またはスラット２６の回転角）を測定し、測定した回転角信号（第１回転角信号または第２回転角信号）をコントローラに送信する。回転角が０〜４５°（第２回転角度）未満（スラットの回転角（傾斜角）がブラインド１０Ｂの正面に対して０（水平状態）〜４５°未満）では、それらスラット２６によるブラインド１０Ｂの正面の視界遮蔽が５０％未満であり、回転角センサから第１回転角信号がコントローラに送信され、コントローラはそれらスラット２６が非回転（回転不十分）であると認識（判断）し、電子制御モジュールに画像非表示信号（第１回転角信号）を送信し、ＬＥＤディスプレイ１７に画像が表示されない。なお、スラット２６の画像表示回転角度（第２回転角度）が３０°に設定されている場合、回転角が０〜３０°（第２回転角度）未満では、ＬＥＤディスプレイ１７に画像は表示されない。
【００６６】
操作バトン３２をさらに回転させてそれらスラット２６をさらに回転させ、図１１の状態となり、それらスラット２６によってブラインド１０Ｂの正面における視界が５０％以上遮蔽され、回転角が４５°（第２回転角度）以上（スラット２６の回転角（傾斜角）がブラインド１０Ｂの正面に対して４５°以上）になった場合、回転角センサが第２回転角信号をコントローラに送信する。第２回転角信号を受信したコントローラは、それらスラット２６が回転済み（回転十分）であると認識（判断）し、電子制御モジュールに所定の画像（選択された画像）および画像表示信号（第２回転角信号）を送信する。画像および画像表示信号を受信した電子制御モジュールは、それらＬＥＤ素子２２の発光色を調整しつつそれらＬＥＤ素子２２の輝度を調整し、コントローラから送信された所定の画像（フルカラーの動画またはフルカラーの静止画）を各スラット２６のＬＥＤディスプレイ１７を利用して表示する。なお、スラット２６の画像表示回転角度（第２回転角度）が３０°に設定されている場合、回転角が３０°（第２回転角度）以上になると、ＬＥＤディスプレイ１７に画像が表示される。
【００６７】
図１１の状態から図１２の状態にスラット２６を回転させ、スラット２６がブラインド１０Ｂの正面に対して平行に回転（９０°回転）した場合、それらスラット２６によってブラインド１０Ｂの正面における視界が５０％以上（１００％）遮蔽され、第２回転角信号（画像表示信号）が回転角センサからコントローラに送信されるとともに、画像表示継続信号（第２回転角信号）がコントローラから電子制御モジュールに送信され、ＬＥＤディスプレイ１７に対する画像の表示が継続される。
【００６８】
図１２の状態から図１１の状態にスラット２６を回転させ、さらにスラット２６によって視界を開放するようにそれらスラット２６を回転させ、それらスラット２６によるブラインド１０Ｂの正面の視界遮蔽が５０％未満になり、回転角が４５°（第２回転角度）未満（スラット２６の回転角（傾斜角）がブラインド１０Ｂの正面に対して４５°未満）になると、回転角センサが第１回転角信号をコントローラに送信する。第１回転角信号を受信したコントローラは電子制御モジュールに画像非表示信号（第１回転角信号）を送信し、電子制御モジュールがＬＥＤディスプレイ１７に表示されている画像を非表示にする。
【００６９】
図１２の状態からドライブコード３３を一方向へ移動させることで、スラット２６を横方向内方へ移動させ、それらスラット２６の一部を横方向へ畳むと、畳まれたスラット２６に対する非展開信号が展開検知センサからコントローラに送信されるとともに、展開中のスラット２６に対する展開信号が展開検知センサからコントローラに送信される。コントローラは、畳まれたスラット２６に対する画像非表示信号を電子制御モジュールに送信し、電子制御モジュールが畳まれたスラット２６のＬＥＤディスプレイ１７に表示されている画像を非表示にする。なお、展開中のスラット２６に対する画像表示信号は継続し、展開中のスラット２６のＬＥＤディスプレイ１７に対する画像の表示が継続される。
【００７０】
操作バトン３２を回転させて展開中のスラット２６によるブラインド１０Ｂの正面の視界遮蔽が５０％未満になり、回転角が４５°（第２回転角度）未満（スラット２６の回転角（傾斜角）がブラインド１０Ｂの正面に対して４５°未満）になると、回転角センサが第１回転角信号をコントローラに送信する。第１回転角信号を受信したコントローラは電子制御モジュールに画像非表示信号（第１回転角信号）を送信し、電子制御モジュールが展開中のスラット２６のＬＥＤディスプレイ１７に表示されている画像を非表示にする。
【００７１】
ブラインド１０Ａ，１０Ｂは、それらスラット１１，２６の他方の面２０，３５（一面）に設置された複数のＬＥＤディスプレイ１７を有し、それらＬＥＤディスプレイ１７のＬＥＤ素子２２を利用してそれらスラット１１，２６の他方の面２０，３５に所定の画像を動画または静止画として表示するから、ブラインド１０Ａ，１０Ｂを任意の場所に設置した状態で所定の画像を動画または静止画としてその片面に表示することができ（それらスラット１１，２６の一方の面１９，３４と他方の面２０，３５とにＬＥＤディスプレイ１７を設置することでブラインド１０Ａ，１０Ｂの両面に動画または静止画を表示することができる。）、任意の場所に設置したブラインド１０Ａ，１０Ｂを利用して所定の動画または静止画を見せることができる。ブラインド１０Ａ，１０Ｂは、所定の画像を動画または静止画としてそれらスラット１１，２６の他方の面２０，３５（一面）に表示することで、ブラインド１０Ａ，１０Ｂを利用して各種情報を伝えることができ、ブラインド１０Ａ，１０Ｂを各種情報の伝達媒体として利用することができる。
【００７２】
ブラインド１０Ａ，１０Ｂは、それらスラット１１，２６の他方の面２０，３５（一面）に設置されたＬＥＤディスプレイ１７に各種の異なる動画または静止画を表示することで、その動画または静止画によってブラインド１０Ａ，１０Ｂを装飾することができ、ブラインド１０Ａ，１０Ｂを設置した箇所を飾る装飾品やイルミネーションとして利用することができる。
【００７３】
ブラインド１０Ａ，１０Ｂは、縦方向または横方向へ畳まれたスラット１１，２６においてＬＥＤディスプレイ１７に表示された動画または静止画を視認することはできないから、縦方向または横方向へ展開させたそれらスラット１１，２６に設置したそれらＬＥＤディスプレイ１７のみに動画または静止画を表示することで、動画や静止画の表示無駄を省くことができ、ＬＥＤディスプレイ１７において消費される電力の省エネを図ることができるとともに、展開中のスラット１１，２６において動画または静止画を表示することで、展開中のスラット１１，２６において動画または静止画を見せることができる。
【００７４】
ブラインド１０Ａ，１０Ｂは、それらスラット１１，２６がブラインド１０Ａ，１０Ｂの正面に対して直交した状態（０°）においてＬＥＤディスプレイ１７に表示された動画または静止画を視認することはできないから、縦方向または横方向へ展開させたそれらスラット１１，２６が所定角度回転し、それらスラット１１，２６によってブラインド１０Ａ，１０Ｂの正面における視界が５０％以上遮蔽された時点でそれらＬＥＤディスプレイ１７に動画または静止画を表示することで、動画または静止画をそれらスラット１１，２６において確実に視認可能にしつつ動画または静止画をブラインド１０Ａ，１０Ｂの片面に表示することができ、視界を５０％以上遮蔽したスラット１１，２６のみにおいて動画または静止画を見せることができる。ブラインド１０Ａ，１０Ｂは、視界を５０％未満遮蔽したスラット１１，２６において動画または静止画を表示することがないから、動画や静止画の表示無駄を省くことができるとともに、ＬＥＤディスプレイ１７において消費される電力の省エネを図ることができる。
【００７５】
ブラインド１０Ａ，１０Ｂは、縦方向または横方向へ畳まれたスラット１１，２６においてＬＥＤディスプレイ１７に表示された動画または静止画を視認することはできないから、スラット１１，２６が縦方向または横方向へ展開した状態から縦方向または横方向へ畳まれた場合、畳まれたスラット１１，２６における動画または静止画の表示が停止することで、動画や静止画の表示無駄を省くことができ、ＬＥＤディスプレイ１７において消費される電力の省エネを図ることができるとともに、展開中のスラット１１，２６において動画または静止画を表示することで、展開中のスラット１１，２６において動画または静止画を見せることができる。
【００７６】
幕部材３７を縦方向へ展開させた状態の一例として示すシェード３６の斜視図である図１３等の添付の図面を参照し、本発明に係るシェードの詳細を説明すると、以下のとおりである。なお、図１４は、図１３のＩＩＩ−ＩＩＩ線端面図であり、図１５は、幕部材３７の下半分を縦方向へ畳んだ状態の一例として示すシェード３６の斜視図である。
【００７７】
図１３に示すシェード３６は、可撓性を有する幕部材３７と、幕部材３７の直上に位置するヘッドレール３８と、幕部材３７の下端部に取り付けられた横方向へ延びるウエイトバー（図示せず）と、縦方向へ等間隔離間して幕部材３７に取り付けられた横方向へ延びる複数のロッド（図示せず）と、ヘッドレール３８から下方へ延びていて幕部材３７を昇降させる昇降コード（図示せず）およびガイドコード（図示せず）と、幕部材３７の昇降操作を行う操作コード３９とを備えている。シェード３６は、幕部材３７の全域に取り付けられた高輝度ＬＥＤディスプレイ１７（自発光型ディスプレイ）を有する。
【００７８】
シェード３６は、室内または室外の所定の箇所（たとえば、窓枠や間仕切り箇所）に設置され、縦方向（上方）へ畳まれた状態（図示せず）の幕部材３７を縦方向（下方）へ展開し、縦方向への展開寸法を調節することで採光を調節する。操作コード３９を下方に引っ張ることで、幕部材３７を上方へ移動させ、シェード３６（幕部材３７）を縦方向へ蛇腹状に畳むことができる。操作コード３９を上方へ移動させることで、幕部材３７を下方へ移動させ、シェード３６（幕部材３７）を縦方向へ展開させることができる。図示のシェード３６は、操作コード３９によって幕部材３７を昇降させるコード式であるが、ポールチェーンによって幕部材３７を昇降させるドラム式であってもよい。幕部材３７がモーターによって昇降する電動シェードであってもよい。
【００７９】
幕部材３７は、所定面積を有して縦方向へ長いフラットなシートであり、一方の面４０と他方の面４１とを有する。幕部材３７は、合成樹脂または布から作られている。なお、幕部材３７の縦方向の長さ寸法や面積について特に限定はなく、縦方向の長さ寸法や面積を自由に設定することができる。
【００８０】
高輝度ＬＥＤディスプレイ１７は、所定面積のフレキシブル基板２１と、フレキシブル基板２１に設置（マウント）された複数のＬＥＤ素子２２（ＬＥＤチップ）と、コントローラ（図示せず）に接続された電子制御モジュール（図示せず）とから形成されている。フレキシブル基板２１の他方の面２４には、フレキシブル基板２１と略同形同大の透明な紫外線遮蔽保護フィルム２５が取り付けられている。フレキシブル基板２１やＬＥＤ素子２２、電子制御モジュール、紫外線遮蔽保護フィルム２５は、ブラインド１０Ａ，１０Ｂのそれらと同一である。
【００８１】
フレキシブル基板２１は、その一方の面２３が所定の接合手段（接着剤や接着テープ、縫製等）によって幕部材３７の他方の面４１（一面）に固定（接合）されている。フレキシブル基板２１が幕部材３７の一面に接合されることで、ＬＥＤディスプレイ１７がシェード３６の一面に固定されている。なお、フレキシブル基板２１が幕部材３７の一方の面４０（一面）に固定（接合）されていてもよく、フレキシブル基板２１が幕部材３７の一方の面４０（一面）と他方の面４１（一面）とに固定（接合）されていてもよい。
【００８２】
シェード３６のヘッドレール３８には、ＬＥＤディスプレイ１７の画像ＯＮ／ＯＦＦスイッチ（図示せず）が取り付けられている。シェード３６のヘッドレール３８の内部には、展開検知センサ（図示せず）が収容されている。展開検知センサは、幕部材３７の縦方向（下方）への展開を検知し、検知した幕部材３７の展開信号をコントローラに送信（転送）するとともに、畳まれた幕部材３７に対する非展開信号をコントローラに送信（転送）する。コントローラは、ブラインド１０Ａ，１０Ｂのそれと同一であり、シェード３６のヘッドレール３８の内部に設置されているが、シェード３６の外部に設置される場合もある。
【００８３】
コントローラの記憶デバイスには、作成した各種複数の画像が格納（記憶）されているとともに、ＬＥＤディスプレイ１７において画像を表示可能と認識（判断）する幕部材３７の設定展開長さ（たとえば、全長３ｍの場合１．５ｍで設定、または、幕部材３７の全長さに対する展開された割合（５０％展開や７０％展開等）を設定、あるいは、幕部材３７によるシェード３６の正面の視界遮蔽率５０％や視界遮蔽率７０％）が格納（記憶）されている。コントローラでは、タッチパネルによってＬＥＤディスプレイ１７に表示する画像を選択することができるとともに、幕部材３７の設定展開長さを自由に設定・変更することができる。コントローラには、設定展開長さが幕部材３７の全長さの半分の長さ、幕部材３７の全長さに対する展開割合５０％、幕部材３７によるシェード３６の正面の視界遮蔽率５０％のうちのいずれかで設定されたものとする。
【００８４】
コントローラの記憶デバイスに格納された画像（コントローラによって作成された画像（フルカラーの動画またはフルカラーの静止画））がコントローラから電子制御モジュールに送信され、電子制御モジュールがそれらＬＥＤ素子２２の発光色を調整しつつそれらＬＥＤ素子２２の輝度を調整することで、所定の画像（フルカラーの動画またはフルカラーの静止画）（音声は、スピーカーから出力される）が幕部材３７のＬＥＤディスプレイ１７に表示される。
【００８５】
シェード３６の幕部材３７に所定の画像を表示するには、ヘッドレール３８の画像ＯＮ／ＯＦＦスイッチをＯＮにし、タッチパネルによって表示する画像を選択する。次に、シェード３６の幕部材３７が畳まれた状態から、操作コード３９を上方へ移動させて幕部材３７を下方へ移動させ、シェード３６（幕部材３７）を縦方向へ展開する。シェード３６の幕部材３７が畳まれた状態では非展開信号が展開検知センサからコントローラに送信され、コントローラは幕部材３７が非展開（畳まれた状態）であると認識（判断）し、画像ＯＮ／ＯＦＦスイッチをＯＮにしたとしても、コントローラが電子制御モジュールに画像非表示信号を送信し、ＬＥＤディスプレイ１７に画像が表示されない。
【００８６】
シェード３６（幕部材３７）を縦方向（下方）へ展開すると、展開された幕部材３７に対する展開信号が展開検知センサからコントローラに送信される。幕部材３７を縦方向へ展開し、展開検知センサから幕部材３７の展開長さがコントローラに送信される。コントローラは、展開検知センサから送信された幕部材３７の展開長さ（たとえば、全長３ｍの場合１．２ｍ、または、幕部材３７の全長さに対する展開された割合が４０％、あるいは、幕部材３７によるシェード３６の正面の視界遮蔽率が４０％）が設定展開長さ（たとえば、全長３ｍの場合１．５ｍ、または、幕部材３７の全長さに対する展開された割合５０％、あるいは、幕部材３７によるシェード３６の正面の視界遮蔽率が５０％）未満の場合、幕部材３７によるシェード３６の正面の視界遮蔽が５０％未満であり、幕部材３７が非展開（畳まれた状態）であると認識（判断）し、画像ＯＮ／ＯＦＦスイッチをＯＮにしたとしても、電子制御モジュールに画像非表示信号を送信し、ＬＥＤディスプレイ１７に画像が表示されない。
【００８７】
シェード３６（幕部材３７）をさらに縦方向（下方）へ展開し、展開検知センサから送信された幕部材３７の展開長さ（たとえば、全長３ｍの場合２．１ｍ、または、幕部材３７の全長さに対する展開された割合が７０％、あるいは、幕部材３７によるシェード３６の正面の視界遮蔽が７０％）が設定展開長さを超えた場合、幕部材３７によるシェード３６の正面の視界遮蔽が５０％以上であり、コントローラは、幕部材３７が展開済み（展開状態）であると認識（判断）し、電子制御モジュールに所定の画像（選択された画像）および画像表示信号を送信する。画像および画像表示信号を受信した電子制御モジュールは、それらＬＥＤ素子２２の発光色を調整しつつそれらＬＥＤ素子２２の輝度を調整し、コントローラから送信された所定の画像（フルカラーの動画またはフルカラーの静止画）を幕部材３７のＬＥＤディスプレイ１７を利用して表示する。
【００８８】
シェード３６では、幕部材３７のうちの縦方向へ展開させた部分に設置したそれらＬＥＤディスプレイ１７のみに動画または静止画を表示する。なお、図１３に示すように、幕部材の全域が縦方向へ展開された場合（全展開）、コントローラから電子制御モジュールに画像表示信号が継続して送信され、電子制御モジュールが所定の画像を幕部材３７のＬＥＤディスプレイ１７に表示する。
【００８９】
図１３の状態から操作コード３９を下方に引っ張り、幕部材３７を上方へ移動させ、シェード３６（幕部材３７）を縦方向へ蛇腹状に畳むと、畳まれた幕部材３７に対する非展開信号が展開検知センサからコントローラに送信されるとともに、展開中の幕部材３７に対する展開信号が展開検知センサからコントローラに送信される。コントローラは、畳まれた幕部材３７に対する画像非表示信号を電子制御モジュールに送信し、電子制御モジュールが畳まれた幕部材３７のＬＥＤディスプレイ１７に表示されている画像を非表示にする。なお、展開中の幕部材３７に対する画像表示信号は継続し、展開中の幕部材３７のＬＥＤディスプレイ１７に対する画像の表示が継続される。
【００９０】
操作コード３９を下方に引っ張り、シェード３６（幕部材３７）を縦方向へ蛇腹状に畳んで図１３の状態から図１５の状態になり、展開中の幕部材３７の展開長さが設定展開長さ未満になり、幕部材３７によるシェード３６の正面の視界遮蔽が５０％未満になると、コントローラは、幕部材３７が非展開（畳まれた状態）であると認識（判断）し、電子制御モジュールに画像非表示信号を送信する。画像非表示信号を受信した電子制御モジュールは、展開中の幕部材３７のＬＥＤディスプレイ１７に表示されている画像を非表示にする。シェード３６では、縦方向へ展開した状態の幕部材３７が該縦方向へ畳まれた場合、幕部材３７のうちの畳まれた部分における動画または静止画の表示が停止する。
【００９１】
シェード３６は、幕部材３７の他方の面４１（一面）に設置されたＬＥＤディスプレイ１７を有し、ＬＥＤディスプレイ１７のＬＥＤ素子２２を利用して幕部材３７の他方の面４１に所定の画像を動画または静止画として表示するから、シェード３６を任意の場所に設置した状態で所定の画像を動画または静止画としてその片面に表示することができ（幕部材３７の一方の面４０と他方の面４１とにＬＥＤディスプレイ１７を設置することでシェード３６（幕部材３７）の両面に動画または静止画を表示することができる。）、任意の場所に設置したシェード３６を利用して所定の動画または静止画を見せることができる。シェード３６は、所定の画像を動画または静止画として幕部材３７の他方の面４１（一面）に表示することで、シェード３６を利用して各種情報を伝えることができ、シェード３６を各種情報の伝達媒体として利用することができる。シェード３６は、幕部材３７の他方の面４１（一面）に設置されたＬＥＤディスプレイ１７に各種の異なる動画または静止画を表示することで、その動画または静止画によってシェード３６を装飾することができ、シェード３６を設置した箇所を飾る装飾品やイルミネーションとして利用することができる。
【００９２】
シェード３６は、縦方向へ畳まれた幕部材３７においてＬＥＤディスプレイ１７に表示された動画または静止画を視認することはできないから、幕部材３７のうちの縦方向へ展開させた部分に設置したそれらＬＥＤディスプレイ１７のみに動画または静止画を表示することで、動画や静止画の表示無駄を省くことができ、ＬＥＤディスプレイ１７において消費される電力の省エネを図ることができるとともに、展開中の幕部材３７において動画または静止画を表示することで、展開中の幕部材３７において動画または静止画を見せることができる。
【００９３】
シェード３６は、縦方向へ畳んだ状態の幕部材３７がたとえば縦方向へ５０％以上展開した時点でＬＥＤディスプレイ１７に動画または静止画を表示することで、動画または静止画を幕部材３７において確実に視認可能にすることができ、視界を５０％以上遮蔽した幕部材３７において動画または静止画を確実に見せることができる。ブラインド３６は、視界を５０％未満遮蔽した幕部材３７において動画または静止画を表示することがないから、動画や静止画の表示無駄を省くことができるとともに、ＬＥＤディスプレイ１７において消費される電力の省エネを図ることができる。
【００９４】
シェード３６は、縦方向へ畳まれた幕部材３７においてＬＥＤディスプレイ１７に表示された動画または静止画を視認することはできないから、幕部材３７が縦方向へ展開した状態から縦方向へ畳まれた場合、畳まれた幕部材３７における動画または静止画の表示が停止することで、動画や静止画の表示無駄を省くことができ、ＬＥＤディスプレイ１７において消費される電力の省エネを図ることができるとともに、展開中の幕部材３７において動画または静止画を表示することで、展開中の幕部材３７のみにおいて動画または静止画を見せることができる。
【符号の説明】
【００９５】
１０Ａ  ブラインド
１０Ｂ  ブラインド
１１    スラット
１２    ヘッドボックス
１３    ボトムレール
１４    ラダーコード
１５    昇降コード
１６    マルチ操作棒
１７    高輝度ＬＥＤディスプレイ（自発光型ディスプレイ）
１８    昇降コード
１９    一方の面
２０    他方の面
２１    フレキシブル基板
２２    ＬＥＤ素子（ＬＥＤチップ）
２３    一方の面
２４    他方の面
２５    紫外線遮蔽保護フィルム
２６    スラット
２７    ヘッドボックス
２８    ランナーフック
２９    ハンガー
３０    バランスウエイト
３１    ボトムコード
３２    操作バトン
３３    ドライブコード
３４    一方の面
３５    他方の面
３６    シェード
３７    幕部材
３８    ヘッドレール
３９    操作コード
４０    一方の面
４１    他方の面
【図１】
2018162617.tif 000003
【図２】
2018162617.tif 000004
【図３】
2018162617.tif 000005
【図４】
2018162617.tif 000006
【図５】
2018162617.tif 000007
【図６】
2018162617.tif 000008
【図７】
2018162617.tif 000009
【図８】
2018162617.tif 000010
【図９】
2018162617.tif 000011
【図１０】
2018162617.tif 000012
【図１１】
2018162617.tif 000013
【図１２】
2018162617.tif 000014
【図１３】
2018162617.tif 000015
【図１４】
2018162617.tif 000016
【図１５】
2018162617.tif 000017